(57)【要約】【課題】  簡単に利用できて肩こりや肩痛の軽減促進に有効な肩用健康具を提供する。【解決手段】  ブロック体１の正面壁に半円筒状凹面４を形成して腕受容部１０とし、背面壁の上半部は両端の縁部５よりもわずかにオフセットした平面部６を脇腹受容部１１とし、平面部６の下方は傾斜面７としてある。このブロック体を脇下に挟んで、肩の力を抜き、腕を自然な自由状態でぶら下げておくと、梃子作用で肩における肩甲骨、鎖骨のつながりを正常な方向に引き出し、肩こりや神経の痛みの基となっている関節の歪みが矯正される。背面壁の下半部が傾斜面７となっているので、ブロック体の下辺エッジが肋骨に食い込むおそれもなく、快適な使用感が得られる。【選択図】        図２
2006034307.tif 000002
【特許請求の範囲】
【請求項１】
脇下に挟んで用いる肩用健康具であって、
正面壁に軸を上下方向とした半筒状の凹面からなる腕受容部を有し、背面壁には前記凹部よりも浅い深さの脇腹受容部を有するブロック体からなることを特徴とする肩用健康具。
【請求項２】
前記腕受容部の凹面は円筒面であることを特徴とする請求項１記載の肩用健康具。
【請求項３】
前記脇腹受容部は、両端に膨出する縁部の間に形成され、前記腕受容部と軸方向に平行な平面部であることを特徴とする請求項１または２記載の肩用健康具。
【請求項４】
前記脇腹受容部の平面部と腕受容部間の最小離間距離が、３〜１０ｃｍであることを特徴とする請求項３記載の肩用健康具。
【請求項５】
前記脇腹受容部は、前記平面部の下部に連なって正面壁側へ傾斜する傾斜面を有することを特徴とする請求項３または４記載の肩用健康具。
【請求項６】
ブロック体の表面の少なくとも所定厚は柔軟材で形成されていることを特徴とする請求項１から５のいずれか１に記載の肩用健康具。
【発明の詳細な説明】
【技術分野】
【０００１】
本発明は、肩こりや肩痛の軽減促進に用いる肩用健康具に関する。
【背景技術】
【０００２】
肩こりや、四十肩、五十肩と呼ばれる肩痛は明白な原因も思いつかないままに誰にでも現れ、ときには激痛を伴い、不愉快な肉体現象である。
その主な原因と考えられているのは、関節の圧迫による炎症で、さらにそれを引き起こしているのは関節を形成している肩甲骨、鎖骨の歪みなどということである。その痛みを和らげるための方策として、各種体操が推奨されている。
【発明の開示】
【発明が解決しようとする課題】
【０００３】
しかし、痛みが発生してしまった状態では体操自体が苦痛の場合があり、予防のために実行するとしても大変な努力を必要とするので、長続きしないというのが実情である。
本発明は、上記従来の問題点に鑑み、簡単に利用できて肩こりや肩痛の軽減促進に有効な肩用健康具を提供することを目的とする。
【課題を解決するための手段】
【０００４】
このため、本発明は、正面壁に軸を上下方向とした半筒状の凹面からなる腕受容部を有し、背面壁には凹部よりも浅い深さの脇腹受容部を有するブロック体からなり、脇下に挟んで用いるものとした。
【発明の効果】
【０００５】
腕受容部に腕を受容し、脇腹受容部を脇腹に向けてブロック体を脇下に挟み込んだ状態で、肩の力を抜き、腕を自然な自由状態でぶら下げておくと、梃子作用で肩における肩甲骨、鎖骨のつながりを正常な方向に引き出し、肩こりや神経の痛みの基となっている関節の歪みが矯正される。
腕受容部が凹面で腕を受容するので、ブロック体が滑って抜けることもなく、脇下に確実に保持される。
【発明を実施するための最良の形態】
【０００６】
次に、発明の実施の形態について説明する。
図１は、実施の形態の構成を示し、（ａ）は平面図、（ｂ）は正面図、（ｃ）は背面図（ｄ）は側面図、（ｅ）は（ｂ）におけるＡ−Ａ部断面図である。また、図２の（ａ）は前方からの斜視図、（ｂ）は後方からの斜視図である。
本健康具は、異形鼓状のブロック体１であって、人体の脇に挟みこんで使用するものである。
ブロック体１は発泡スチロール材からなり、その側面壁１ｂは矩形形状である。正面壁１ａは軸を上下方向とした半円筒状凹面４となって、腕受容部１０を形成している。一方、背面壁１ｃの上半部は、両端の縁部５と、縁部５からわずかな所定量だけ正面壁１ａ側にオフセットした平面部６となって、脇腹受容部１１を形成している。（ｃ）の平面図においては、脇腹受容部１１の平面部６が両端の相対的に膨出した縁部５、５に挟まれた直線となっている。
【０００７】
とくに図２に示すように、背面壁１ｃの下半部は傾斜面７となっており、傾斜面７の下端は上端よりも正面壁１ａ側に寄っている。そして縁部５と傾斜面７の間は滑らかに接続されている。
なお、ブロック体１の上面、下面は平面である。ブロック体１の各辺部および角部はＲ（アール）で丸められている。
正面壁１ａにおける円筒凹面４は使用者の上腕、とくに付け根付近の腕を受容可能なサイズとしてある。
ブロック体１の高さ寸法Ｈは５〜１０ｃｍが好ましく、また、腕受容部１０と脇腹受容部１１間の厚み（最小離間距離）、すなわち、正面壁の半円筒状凹面４の底面と背面壁の平面部６間の距離Ｌは３〜８ｃｍが好ましい。
【０００８】
以上のように形成されたブロック体１からなる健康具は、次のように使用する。
まず、ブロック体１を、図３に示すように、腕受容部１０に腕Ｄを受容し、脇腹受容部１１を脇腹Ｗに向けた状態で肩付け根部分に挟む。このとき、背面壁１ｃの平面部６を上方に傾斜面７を下方にする。これにより、ブロック体１の背面壁１ｃの平面部６が脇腹Ｗの肋骨に当接することになる。
【０００９】
正面壁１ａには半円筒状凹面４に腕Ｄが受容され、背面壁１ｃには両端に縁部５があるので、ブロック体１は前後方向に滑って抜けることはなく、確実に保持される。
このように、ブロック体１を脇の下に挟み込んだ状態で、肩の力を抜き、腕Ｄを自然な自由状態でぶら下げておく。これにより、梃子作用で肩における肩甲骨、鎖骨のつながりを正常な方向に引き出し、関節の歪みが矯正されるから関節まわりの筋の突っ張り感も解消して肩こりが軽減する。また、関節の圧迫による神経の痛みも軽減される。
【００１０】
ブロック体１は所定の柔軟性を有する発泡スチロール材で形成されているので、使用者に硬さを感じさせない。また、脇の下に挟んで腕Ｄを下ろした際にブロック体１に下方へ転動させるような力が作用して、ブロック体１の下端が脇腹Ｗへ押し付けられる傾向となるが、背面壁１ｃの下半部が傾斜面７となって逃げているので、ブロック体１の下辺エッジが肋骨に食い込むおそれもなく、快適な使用感が得られる。
【００１１】
なお、実施の形態ではブロック体１を発泡スチロール材の塊で形成したが、これに限定されない。例えば同様の外形を呈する柔軟なエアバッグで構成することもでき、これによれば、不使用時は折りたたんで小さく格納でき、持ち運びに便利となる。あるいはまた、表面の所定厚さ部分だけ柔軟材とし、内部は硬質樹脂などで形成してもよく、要は腕、脇腹に接触する部分が弾性を持って柔軟であればよい。
【００１２】
また、使用者によって腕Ｄの太さに差があるから、正面壁１ａにおける半円筒状凹面４のサイズ（半径）は比較的大きめに設定しておけば、大多数の人に共通して利用可能となるが、複数の異なるサイズのものを提供して、体格に合ったサイズのものを選択可能としてもよい。
腕受容部１０と脇腹受容部１１間の最小離間距離３〜８ｃｍについても、複数段階に分けて、任意のサイズのものを選択するようにできる。
さらに、実施の形態では脇腹受容部を縁部５とその間に挟まれた平面部６とで形成したが、半円筒状凹面４と同様の、しかし曲率は小さい筒状凹面としてもよい。
【図面の簡単な説明】
【００１３】
【図１】本発明の実施の形態の構成を示す図である。
【図２】実施の形態の斜視図である。
【図３】使用の要領を示す説明図である。
【符号の説明】
【００１４】
１      ブロック体
１ａ    正面壁
１ｂ    側面壁
１ｃ    背面壁
４      半円筒状凹面
５      縁部
６      平面部
７      傾斜面
１０    腕受容部
１１    脇腹受容部
Ｄ      腕
Ｗ      脇腹
【図１】
2006034307.tif 000003
【図２】
2006034307.tif 000004
【図３】
2006034307.tif 000005